(57)【要約】【課題】少なくともコンデンサの等価直列インダクタンスとコンデンサが接続される配線の寄生インダクタンスを抑えるノイズフィルタであって、汎用性が高いノイズフィルタを提供する。【解決手段】ノイズフィルタは、入力端部と出力端部の間を延びている第１導電線であって、前記入力端部と分岐部の間を延びている入力側導電線と、前記出力端部と前記分岐部の間を延びている出力側導電線と、を有する第１導電線と、前記第１導電線の前記分岐部に接続されているとともにコンデンサが介挿されている第２導電線と、前記第１導電線の少なくとも一部の周囲の少なくとも一部を取り囲んでいる磁性体と、を備えており、前記磁性体は、前記入力側導電線と前記出力側導電線を磁気結合させ、これらの間に生じる相互インダクタンスによって少なくとも前記コンデンサの等価直列インダクタンスと前記第２導電線の寄生インダクタンスを減ずるように構成されている。【選択図】図３Ａ
2020017944.tif 000002
【特許請求の範囲】
【請求項１】
入力端部と出力端部の間を延びている第１導電線であって、前記入力端部と分岐部の間を延びている入力側導電線と、前記出力端部と前記分岐部の間を延びている出力側導電線と、を有する第１導電線と、
前記第１導電線の前記分岐部に接続されているとともにコンデンサが介挿されている第２導電線と、
前記第１導電線の少なくとも一部の周囲の少なくとも一部を取り囲んでいる第１磁性体と、を備えており、
前記第１磁性体は、前記入力側導電線と前記出力側導電線を磁気結合させ、これらの間に生じる相互インダクタンスによって少なくとも前記コンデンサの等価直列インダクタンスと前記第２導電線の寄生インダクタンスを減ずるように構成されている、ノイズフィルタ。
【請求項２】
前記第１磁性体は、
前記入力側導電線の少なくとも一部である第１部分の周囲の少なくとも一部を取り囲んでいる第１磁性体部分と、
前記出力側導電線の少なくとも一部である第２部分の周囲の少なくとも一部を取り囲んでいる第２磁性体部分と、
前記第１磁性体部分と前記第２磁性体部分の間を延びている第３磁性体部分と、を有する、請求項１に記載のノイズフィルタ。
【請求項３】
前記入力側導電線の前記第１部分と前記出力側導電線の前記第２部分が、直線状に並んで延びており、
前記第１磁性体は、前記分岐部上で前記第１導電線を横断し、前記第１部分の周囲の一部を取り囲むとともに、前記第２部分の周囲の一部を取り囲むように配設されている、請求項２に記載のノイズフィルタ。
【請求項４】
前記第１磁性体は、第１下側分割部分と第２下側分割部分と第１上側分割部分と第２上側分割部分を組み合わせて構成されており、
前記第１下側分割部分は、前記入力側導電線を横断するように、前記入力側導電線の前記第１部分の下方を延びており、
前記第２下側分割部分は、前記出力側導電線を横断するように、前記出力側導電線の前記第２部分の下方を延びており、
前記第１上側分割部分は、前記分岐部の上方で前記第１導電線を横断して前記第１下側分割部分の一方の端部と前記第２下側分割部分の一方の端部の間を延びており、
前記第２上側分割部分は、前記分岐部の上方で前記第１導電線を横断して前記第１下側分割部分の他方の端部と前記第２下側分割部分の他方の端部の間を延びており、
前記第１上側分割部分と前記第２上側分割部分は、前記分岐部の上方でねじれの位置で配置されている、請求項３に記載のノイズフィルタ。
【請求項５】
前記入力側導電線の前記第１部分と前記出力側導電線の前記第２部分が、所定距離を隔てて対向するとともに略平行となるように延びており、
前記第１磁性体は、前記第１部分と前記第２部分の各々の外側を通って一巡するように配設されている、請求項２に記載のノイズフィルタ。
【請求項６】
前記第１磁性体は、第１分割部分と第２分割部分を組み合わせて構成されており、
前記第１分割部分の少なくとも一方の端部と前記第２分割部分の少なくとも一方の端部の間にギャップが設けられている、請求項５に記載のノイズフィルタ。
【請求項７】
前記第１分割部分と前記第２分割部分の各々は、コの字状の形態を有している、請求項６に記載のノイズフィルタ。
【請求項８】
前記第１磁性体は、前記第１導電線の周囲をらせん状に配設されている、請求項２に記載のノイズフィルタ。
【請求項９】
前記第１導電線は、平板状のバスバーで構成されている、請求項１〜８のいずれか一項に記載のノイズフィルタ。
【請求項１０】
前記第２導電線の少なくとも一部の周囲の少なくとも一部を取り囲んでいる第２磁性体をさらに備えている、請求項１〜９のいずれか一項に記載のノイズフィルタ。
【請求項１１】
前記第１磁性体の磁性体材料と前記第２磁性体の磁性体材料が同一である、請求項１０に記載のノイズフィルタ。
【請求項１２】
前記第２導電線に介挿されており、前記コンデンサに対して直列に配置されている抵抗器をさらに備えている、請求項１〜１１のいずれか一項に記載のノイズフィルタ。
【発明の詳細な説明】
【技術分野】
【０００１】
本明細書が開示する技術は、ノイズフィルタに関する。
【背景技術】
【０００２】
導電線に重畳する電磁ノイズを抑えるために、ノイズフィルタの開発が進められている。この種のノイズフィルタの多くは、電磁ノイズを導電線からＧＮＤにバイパスさせるためのコンデンサを備えている。しかしながら、コンデンサには等価直列インダクタンス（ESL：Equivalent Series Inductance）と称される寄生インダクタンスが存在しており、さらに、そのコンデンサが接続する配線にも寄生インダクタンスが存在している。このため、このようなノイズフィルタは、これら寄生インダクタンスの影響により、高周波帯域の電磁ノイズに対して良好なフィルタ性能を発揮できないことが知られている。
【０００３】
特許文献１は、導電線に直列接続させた一対のインダクタの磁気結合を利用するノイズフィルタを開示する。特許文献１に開示されるノイズフィルタでは、一対のインダクタの間に生じる相互インダクタンスによってコンデンサの等価直列インダクタンスを減じることにより、フィルタ性能を向上させている。
【先行技術文献】
【特許文献】
【０００４】
【特許文献１】米国特許第６，９３７，１１５号明細書
【発明の概要】
【発明が解決しようとする課題】
【０００５】
特許文献１の技術では、磁気結合する一対のインダクタを導電線に形成するために、特定パターンで形成された導電線が用いられている。しかしながら、導電線の特定パターンによっては、ノイズフィルタの面積が大きくなるという問題がある。また、導電線の特定パターンによっては、導電線の幅が狭くなり、導電線からの放熱量が低下し、寄生抵抗が増加する。このため、ノイズフィルタのエネルギー損失に伴う発熱を抑制できなくなるという問題がある。このような問題を考慮する必要があることから、特定パターンで形成された導電線を用いる技術は、設計自由度が著しく低い。したがって、特定パターンで形成された導電線を用いる技術は、汎用性に乏しい技術といえる。本願明細書は、少なくともコンデンサの等価直列インダクタンスとコンデンサが接続される配線の寄生インダクタンスを抑えるノイズフィルタであって、汎用性が高いノイズフィルタを提供することを目的とする。
【課題を解決するための手段】
【０００６】
本明細書が開示するノイズフィルタの一実施形態は、第１導電線、第２導電線及び第１磁性体を備えることができる。前記第１導電線は、入力端部と出力端部の間を延びており、前記入力端部と分岐部の間を延びている入力側導電線と、前記出力端部と前記分岐部の間を延びている出力側導電線と、を有している。前記第２導電線は、前記第１導電線の分岐部に接続されているとともにコンデンサが介挿されている。前記第１磁性体は、前記第１導電線の少なくとも一部の周囲の少なくとも一部を取り囲んでいる。前記第１磁性体は、前記入力側導電線と前記出力側導電線を磁気結合させ、これらの間に生じる相互インダクタンスによって少なくとも前記コンデンサの等価直列インダクタンスと前記第２導電線の寄生インダクタンスを減ずるように構成されている。上記実施形態のノイズフィルタでは、前記第１導電線の周囲に前記第１磁性体を配設することにより、少なくとも前記コンデンサの等価直列インダクタンスと前記第２導電線の寄生インダクタンスを減ずることができる。上記実施形態のノイズフィルタでは、前記第１導電線に何ら特定パターンを形成する必要がない。このため、前記第１導電線に対して前記第１磁性体を配設する技術は、様々な種類の導電線に対して適用することができ、汎用性が高い技術である。
【０００７】
上記実施形態のノイズフィルタでは、前記第１磁性体が、第１磁性体部分、第２磁性体部分及び第３磁性体部分を有していてもよい。前記第１磁性体部分は、前記入力側導電線の少なくとも一部である第１部分の周囲の少なくとも一部を取り囲んでいる。前記第２磁性体部分は、前記出力側導電線の少なくとも一部である第２部分の周囲の少なくとも一部を取り囲んでいる。前記第３磁性体部分は、前記第１磁性体部分と前記第２磁性体部分の間を延びている。前記第３磁性体部分は、前記第１磁性体部分と前記第２磁性体部分に直接的に接して配設されていてもよく、離間して配設されていてもよい。ここで、第１磁性体部分、第２磁性体部分及び第３磁性体部分という表現は、各々が１つの別体として構成されていることを必ずしも意味するものではない。例えば、第１磁性体部分、第２磁性体部分及び第３磁性体部分の全体が一体的に形成されていてもよい。また、第１磁性体部分、第２磁性体部分及び第３磁性体部分の各々が、複数の部材によって構成されていてもよい。あるいは、１つの部材が複数の磁性体部分の各々の一部を構成してもよい。すなわち、前記第１磁性体は、前記第１磁性体部分、前記第２磁性体部分及び前記第３磁性体部分として機能する部分を有する限りにおいて、様々な形態で形成され得る。
【０００８】
上記実施形態のノイズフィルタでは、前記入力側導電線の前記第１部分と前記出力側導電線の前記第２部分が、直線状に並んで延びていてもよい。この場合、前記第１磁性体は、前記分岐部上で前記第１導電線を横断し、前記第１部分の周囲の一部を取り囲むとともに、前記第２部分の周囲の一部を取り囲むように配設されていてもよい。例えば、この第１磁性体は、第１下側分割部分と第２下側分割部分と第１上側分割部分と第２上側分割部分を組み合わせて構成されていてもよい。この場合、前記第１下側分割部分は、前記入力側導電線を横断するように、前記入力側導電線の前記第１部分の下方を延びていてもよい。前記第２下側分割部分は、前記出力側導電線を横断するように、前記出力側導電線の前記第２部分の下方を延びていてもよい。前記第１上側分割部分は、前記分岐部の上方で前記第１導電線を横断して前記第１下側分割部分の一方の端部と前記第２下側分割部分の一方の端部の間を延びていてもよい。前記第２上側分割部分は、前記分岐部の上方で前記第１導電線を横断して前記第１下側分割部分の他方の端部と前記第２下側分割部分の他方の端部の間を延びていてもよい。前記第１上側分割部分と前記第２上側分割部分は、前記分岐部の上方でねじれの位置に配置されている。なお、ここでいう「下」及び「上」という表現は、便宜の上で第１導電線に対する相対的な位置関係を特定するためだけに用いられており、空間上の上下関係を特定するものではない。このような形態の前記第１下側分割部分と前記第２下側分割部分と前記第１上側分割部分と前記第２上側分割部分は、前記第１導電線に対して容易に配設することができる。また、必要に応じて、前記第１下側分割部分の両端部のうちの少なくともいずれか一方と上側分割部分の間にギャップが設けられていてもよい。同様に、前記第２下側分割部分の両端部の少なくともいずれか一方と上側分割部分の間にギャップが設けられていてもよい。このようなギャップが設けられていると、ギャップ間の距離等を調整することにより、前記入力側導電線と前記出力側導電線の間に生じる相互インダクタンスを調整することができる。
【０００９】
上記実施形態のノイズフィルタでは、前記入力側導電線の前記第１部分と前記出力側導電線の前記第２部分が、所定距離を隔てて対向するとともに略平行となるように延びていてもよい。この場合、前記第１磁性体は、前記第１部分と前記第２部分の各々の外側を通って一巡するように配設されていてもよい。例えば、このノイズフィルタでは、前記第１磁性体が、第１分割部分と第２分割部分を組み合わせて構成されていてもよい。この場合、前記第１分割部分の少なくとも一方の端部と前記第２分割部分の少なくとも一方の端部の間にギャップが設けられていてもよい。ギャップ間の距離等を調整することにより、前記入力側導電線と前記出力側導電線の間に生じる相互インダクタンスを調整することができる。また、前記第１分割部分と前記第２分割部分の各々は、コの字状の形態を有していてもよい。このような形態の前記第１分割部分と前記第２分割部分は、前記第１導電線に対して容易に配設することができる。
【００１０】
上記実施形態のノイズフィルタでは、前記第１磁性体が、前記第１導電線の周囲をらせん状に配設されていてもよい。前記第１磁性体の長さやらせんのピッチなどを調整することで、前記入力側導電線と前記出力側導電線の磁気結合を調整できる。
【００１１】
上記実施形態のノイズフィルタでは、前記第１導電線が平板状のバスバーで構成されていてもよい。前記第１導電線が平板状のバスバーであっても、そのようなバスバーの周囲に前記第１磁性体を配設することにより、少なくとも前記コンデンサの等価直列インダクタンスと前記第２導電線の寄生インダクタンスを減ずることができる。
【００１２】
上記実施形態のノイズフィルタでは、前記第２導電線の少なくとも一部の周囲の少なくとも一部を取り囲んでいる第２磁性体をさらに備えていてもよい。前記第２磁性体が設けられていることにより、前記コンデンサに対してインダクタが直列接続され、前記第２導電線のインダクタンスが増加する。前記第２導電線のインダクタンスの増加分を減じるために、前記第１磁性体によって前記入力側導電線と前記出力側導電線の間に生じる相互インダクタンスを大きく調整することができる。この結果、このノイズフィルタでは、前記入力側導電線と前記出力側導電線の各々のインダクタンスが大きくなり、フィルタ性能が向上し得る。
【００１３】
上記実施形態のノイズフィルタでは、前記第１磁性体の磁性体材料と前記第２磁性体の磁性体材料が同一であってもよい。このノイズフィルタでは、より厳密な設計に基づいてフィルタ性能が大幅に向上し得る。
【００１４】
上記実施形態のノイズフィルタでは、前記第２導電線に介挿されているとともに前記コンデンサに対して直列に配置されている抵抗器をさらに備えていてもよい。このノイズフィルタでは、より厳密な設計に基づいてフィルタ性能が大幅に向上し得る。
【図面の簡単な説明】
【００１５】
【図１】ＬＣＬ構成のＴ型のノイズフィルタのノイズ伝達特性を説明する図である。
【図２】ＬＣＬ構成のＴ型のノイズフィルタのノイズ伝達特性を説明する図である。
【図３Ａ】本実施形態のノイズフィルタの斜視図を模式的に示す図である。
【図３Ｂ】本実施形態のノイズフィルタの分解斜視図を模式的に示す図である。
【図４Ａ】本実施形態の他のノイズフィルタの斜視図を模式的に示す図である。
【図４Ｂ】本実施形態の他のノイズフィルタの分解斜視図を模式的に示す図である。
【図５】図４Ａ及び図４Ｂのノイズフィルタの変形例のノイズフィルタの斜視図を模式的に示す図である。
【図６Ａ】本実施形態の他のノイズフィルタの斜視図を模式的に示す図である。
【図６Ｂ】本実施形態の他のノイズフィルタの分解斜視図を模式的に示す図である。
【図７Ａ】本実施形態の他のノイズフィルタの斜視図を模式的に示す図である。
【図７Ｂ】本実施形態の他のノイズフィルタの分解斜視図を模式的に示す図である。
【図８Ａ】本実施例のノイズフィルタの斜視図を模式的に示す図である。
【図８Ｂ】比較例のノイズフィルタの斜視図を模式的に示す図である。
【図８Ｃ】比較例のノイズフィルタの斜視図を模式的に示す図である。
【図９Ａ】図８Ａのノイズフィルタの等価回路図である。
【図９Ｂ】図８Ｂのノイズフィルタの等価回路図である。
【図９Ｃ】図８Ｃのノイズフィルタの等価回路図である。
【図１０】図８Ａ〜図８Ｃのノイズフィルタのフィルタ性能を示す図である。
【発明を実施するための形態】
【００１６】
本願明細書が開示するノイズフィルタを説明する前に、図１を参照し、ＬＣＬ構成のＴ型のノイズフィルタ１のノイズ伝達特性について説明する。ノイズフィルタ１は、電力導電線に直列接続されている一対のインダクタＬ１，Ｌ２と、電力導電線と基準導電線の間に接続されているコンデンサＣと、を備えている。インダクタＬ１のインダクタンスがＬ１であり、インダクタＬ２のインダクタンスがＬ２である。なお、これらインダクタＬ１，Ｌ２は、電力導電線の寄生インダクタであってもよい。コンデンサＣは、一端が一対のインダクタＬ１，Ｌ２の間の分岐部に接続されており、他端が基準導電線に接続されている。インダクタＬ３のインダクタンスＬ３は、コンデンサＣの等価直列インダクタンス（ESL：Equivalent Series Inductance）とコンデンサＣが接続する分岐配線の寄生インダクタンスの和である。Ｚ１は、ノイズ源の内部インピーダンスであり、Ｚ２は負荷回路のインピーダンスである。このノイズフィルタ１では、インダクタＬ１とインダクタＬ２が磁気結合しており、インダクタＬ１，Ｌ２のそれぞれを流れる電流Ｉ１，Ｉ２が図中の向きに流れるとすると、これらインダクタＬ１，Ｌ２の間に正の相互インダクタンスＭが生じている。ノイズ電圧をＶnoiseとすると、負荷回路に加わるノイズ電圧ＶＬは、以下の式で表される。
【００１７】
【数１】
2020017944.tif 000003
【００１８】
ＺＬ１：インダクタＬ１のインピーダンス（jω(L1＋M)）
ＺＬ２：インダクタＬ２のインピーダンス（jω(L2＋M)）
ＺＬ３：コンデンサＣの等価直列インダクタとコンデンサＣが接続される分岐配線の寄生インダクタの和からなるインピーダンス（jω(L3−M)）
ＺＣ：コンデンサＣのインピーダンス（1/jωC）
ω：角周波数（２πｆ）
【００１９】
上記数式１に示されるように、負荷回路に加わるノイズ電圧ＶＬを低減するためには、分子のＺＬ３＋ＺＣを低減することが重要である。
【００２０】
電圧ＶＬの振幅は絶対値で表されるので、上記数式１の絶対値をとり、その分子をＶLｎｕｍとすると、以下の数式で表すことができる。
【００２１】
【数２】
2020017944.tif 000004
【００２２】
上記数式２によれば、｛ω（Ｌ３−Ｍ）−１／ωＣ｝が０となるように相互インダクタンスＭを設定すると、フィルタ性能が最大化し得ることが分かる。しかしながら、そのような条件は、ある任意の周波数のみで実現される。このため、幅広い周波数のノイズを低減するためのノイズフィルタ回路は、そのような条件で設定されない。
【００２３】
ここで、インダクタＬ１とインダクタＬ２の間に生じる相互インダクタンスＭは、結合係数ｋを用いて以下の数式で表すことができる。
【００２４】
【数３】
2020017944.tif 000005
【００２５】
結合係数ｋは磁気結合の度合いを示す値であり、本明細書が開示する構造では、０≦k≦１の値をとる。上記数式２及び上記数式３に示されるように、インダクタンスＬ３と相互インダクタンスＭが一致するように、ｋ、Ｌ１、Ｌ２の値を調整すれば、上記数式１の分子にはコンデンサＣのインピーダンスと負荷回路のインピーダンスの積のみが残る。角周波数ωは周波数の増加とともに大きくなることから、インダクタンスＬ３と相互インダクタンスＭを一致させれば、高周波帯域の電磁ノイズに対するフィルタ性能が向上する。
【００２６】
即ち、図２に示されるように、インダクタＬ１とインダクタＬ２を磁気結合させることにより、インダクタＬ１とインダクタＬ２の間に生じる相互インダクタンスＭによって少なくともインダクタンスＬ３を減じさせれば、高周波帯域の電磁ノイズに対するフィルタ性能を向上させることができる。本明細書が開示する技術は、この現象を利用して、高周波帯域の電磁ノイズに対するフィルタ性能を改善する。
【００２７】
以下、本明細書が開示する技術が適用されたノイズフィルタについて説明する。なお、以下で参照する各図において、実質的に機能が共通する構成要素については共通の符号を付し、その説明を省略することがある。
【００２８】
図３Ａにノイズフィルタ１０の斜視図、図３Ｂにその分解斜視図を示す。ノイズフィルタ１０は、入力端部１１ａと出力端部１１ｂの間を直線状に延びている第１導電線１１と、第１導電線１１の分岐部１１ｃに接続されているとともにコンデンサ２０が介挿されている第２導電線１２と、第１磁性体３０を備えている。第１磁性体３０は、磁性材料のフェライト粉末を樹脂に練り込んだ磁性シートで構成されており、第１磁性体部分３１、第２磁性体部分３２及び第３磁性体部分３３を有している。なお、第１磁性体３０は、Ｍｎ−Ｚｎ、Ｎｉ−Ｚｎ等の材料を焼結したフェライト等を成形した磁性プレートであってもよい。
【００２９】
第１導電線１１は、平板状に成形された金属のバスバーで構成されており、入力端部１１ａがノイズ源となるコンバータ又はインバータ等の電力変換器に接続されており、出力端部１１ｂが任意の負荷に接続されている。第１導電線１１のうちの入力端部１１ａと分岐部１１ｃの間の部分を入力側導電線１１Ａという。第１導電線１１のうちの出力端部１１ｂと分岐部１１ｃの間の部分を出力側導電線１１Ｂという。入力側導電線１１Ａと出力側導電線１１Ｂは、直線状に並んで配置されている。この例に代えて、第１導電線１１は、回路基板上に配設された金属パターンであってもよい。
【００３０】
第２導電線１２は、平板状に成形された金属のバスバーで構成されており、一端が第１導電線１１の分岐部１１ｃに接続されており、他端がグランド板１３に接続されている。第２導電線１２は、第１導電線１１に対して直交しており、第１導電線１１の側面から延びている。第２導電線１２には、コンデンサ２０が介挿されている。この例では、コンデンサ２０は、２並列のチップコンデンサとして構成されている。
【００３１】
このように、ノイズフィルタ１０は、入力側導電線１１Ａの寄生のインダクタンスと、第２導電線１２に介挿されているコンデンサＣと、出力側導電線１１Ｂの寄生のインダクタンスと、で構成されているＬＣＬ構成のＴ型のノイズフィルタである。なお、本明細書が開示する技術は、この例に限らず、他の種類のノイズフィルタにも適用可能である。
【００３２】
第１磁性体部分３１は、第１導電線１１の入力側導電線１１Ａの一部の周囲を被覆するように配設されている。この例では、第１磁性体部分３１は、入力側導電線１１Ａの一部の周方向の全周を被覆しているが、周方向の一部を被覆するように配設されていてもよい。また、第１磁性体部分３１には、この例に限らず、様々な形態を採用し得る。例えば、第１磁性体部分３１は、リング状（円環状、角状等）のフェライトコアであってもよく、後述するように、第１導電線１１に対してらせん状に巻回する磁性シートであってもよい。第１磁性体部分３１が配設されていることにより、入力側導電線１１Ａのインダクタンスが調整される。なお、本願明細書では、第１磁性体部分３１によって取り囲まれている第１導電線１１の入力側導電線１１Ａの一部を「第１部分」という。
【００３３】
第２磁性体部分３２は、第１導電線１１の出力側導電線１１Ｂの一部の周囲を被覆するように配設されている。この例では、第２磁性体部分３２は、出力側導電線１１Ｂの一部の周方向の全周を被覆しているが、周方向の一部を被覆するように配設されていてもよい。また、第２磁性体部分３２には、この例に限らず、様々な形態を採用し得る。例えば、第２磁性体部分３２は、リング状（円環状、角状等）のフェライトコアであってもよく、後述するように、第１導電線１１に対してらせん状に巻回する磁性シートであってもよい。第２磁性体部分３２が配設されていることにより、出力側導電線１１Ｂのインダクタンスが調整される。なお、本願明細書では、第２磁性体部分３２によって取り囲まれている第１導電線１１の出力側導電線１１Ｂの一部を「第２部分」という。
【００３４】
第３磁性体部分３３は、第１磁性体部分３１と第２磁性体部分３２の間を延びるとともに第１導電線１１の分岐部１１ｃの周囲の一部を被覆するように配設されている。この例では、第３磁性体部分３３は、第１磁性体部分３１と第２磁性体部分３２の各々に接触しているが、第１磁性体部分３１と第２磁性体部分３２の少なくとも一方から離間していてもよい。また、第３磁性体部分３３には、この例に限らず、様々な形態を採用し得る。例えば、第３磁性体部分３３は、後述するように、第１導電線１１に対してらせん状に巻回する磁性シートであってもよい。第１磁性体部分３１と第２磁性体部分３２の間を延びるように第３磁性体部分３３が配設されていることにより、入力側導電線１１Ａと出力側導電線１１Ｂの磁気結合を調整できる。すなわち、第３磁性体部分３３により、入力側導電線１１Ａと出力側導電線１１Ｂの間の結合係数ｋを調整できる。
【００３５】
このノイズフィルタ１０では、第１磁性体部分３１と第２磁性体部分３２と第３磁性体部分３３の各々の材料及び形態を調整することにより、入力側導電線１１Ａと出力側導電線１１Ｂの間に生じる相互インダクタンスが調整される。これにより、その相互インダクタンスによってコンデンサ２０の等価直列インダクタンスと第２導電線１２の寄生インダクタンスの和が減じられる。この結果、上記数式２で示したように、ノイズフィルタ１０は、高周波帯域の電磁ノイズに対して高いフィルタ性能を発揮することができる。なお、入力側導電線１１Ａと出力側導電線１１Ｂの間に生じる相互インダクタンスがコンデンサ２０の等価直列インダクタンスと第２導電線１２の寄生インダクタンスの和に必ずしも一致する必要はない。相互インダクタンスを「Ｍ」とし、コンデンサ２０の等価直列インダクタンスと第２導電線１２の寄生インダクタンスの和を「Ｌ３」とすると、｜Ｌ３−Ｍ｜＜Ｌ３となるようにＭを調整することで、ノイズフィルタ１０のフィルタ性能は向上することができる。
【００３６】
ノイズフィルタ１０では、第１導電線１１の周囲に第１磁性体３０を配設するだけで、コンデンサ２０の等価直列インダクタンスと第２導電線１２の寄生インダクタンスの和が減じられる。この例では、第１導電線１１がバスバーであるが、他の種類の導電線であっても同様である。また、第１導電線１１の形状がどのようなものであっても、その周囲に第１磁性体３０を配設することで、コンデンサ２０の等価直列インダクタンスと第２導電線１２の寄生インダクタンスの和を減ずることができる。特に、磁性シートで構成されている第１磁性体３０は、第１導電線１１に対して容易に配設することができる。このように、第１導電線１１の周囲に第１磁性体３０を配設するという技術は、様々な種類の導電線に適用できることから、汎用性が高い技術である。
【００３７】
本明細書が開示する技術に代えて、入力側導電線と出力側導電線の各々にコイルを介挿させることも考えられる。しかしながら、磁心を有しない一般的なコイル間の磁気結合は疎であり、それを密にするためには導電線路の配策及びコイルの形状に工夫が必要となる。このため、導電線路の配策の自由度の低下、コイル重量の増加、それらに伴ってノイズフィルタ回路の構造が大きくなるという問題があることから、入力側導電線と出力側導電線の各々にコイルを介挿させる技術は汎用性に乏しい技術といえる。また、磁心を有するコイルを利用すると、相互インダクタンスの調整が難しくなり、その調整のために、コンデンサに対して直列に追加のコイルを介挿する必要がある。ノイズフィルタ回路において、本来コンデンサに対して直列にコイルを介挿させる必要がないため、部品点数が増加し、コストや体格が増加するという問題がある。一方、本明細書が開示する技術は、コイルを利用しないことから、上記のような問題を回避することができる。
【００３８】
以下、本明細書が開示する技術が適用された他のノイズフィルタを説明する。図４Ａにノイズフィルタ１００の斜視図、図４Ｂにその分解斜視図を示す。ノイズフィルタ１００では、第１磁性体１３０が、第１下側分割部分１３０Ａと第２下側分割部分１３０Ｂと第１上側分割部分１３０Ｃと第２上側分割部分１３０Ｄを組み合わせて構成されている。これら分割部分１３０Ａ，１３０Ｂ，１３０Ｃ，１３０Ｄが組み合さることにより、第１磁性体１３０の第１磁性体部分１３１、第２磁性体部分１３２及び第３磁性体部分１３３が構成される。
【００３９】
これら分割部分１３０Ａ，１３０Ｂ，１３０Ｃ，１３０Ｄの各々は、Ｍｎ−Ｚｎ、Ｎｉ−Ｚｎ等の材料を焼結したフェライト等を成形した磁性プレートである。第１下側分割部分１３０Ａと第２下側分割部分１３０Ｂは、共通形態である。
【００４０】
第１下側分割部分１３０Ａは、入力側導電線１１Ａを短手方向に沿って横断するように、入力側導電線１１Ａの下方を延びている。第１下側分割部分１３０Ａは、コの字状の形態を有しており、入力側導電線１１Ａの周囲の一部を取り囲んでいる。第１下側分割部分１３０Ａの第１端部１３０Ａａと第２端部１３０Ａｂの頂面は、第１導電線１１の上面よりも上側に位置している。
【００４１】
第２下側分割部分１３０Ｂは、出力側導電線１１Ｂを短手方向に沿って横断するように、出力側導電線１１Ｂの下方を延びている。第２下側分割部分１３０Ｂは、コの字状の形態を有しており、出力側導電線１１Ｂの周囲の一部を取り囲んでいる。第２下側分割部分１３０Ｂの第１端部１３０Ｂａと第２端部１３０Ｂｂの頂面は、第１導電線１１の上面よりも上側に位置している。
【００４２】
第１上側分割部分１３０Ｃは、第１導電線１１の分岐部１１ｃの上方で第１導電線１１を横断して第１下側分割部分１３０Ａの第１端部１３０Ａａと第２下側分割部分１３０Ｂの第２端部１３０Ｂｂの間を延びている。第１上側分割部分１３０Ｃは、一端が第１下側分割部分１３０Ａの第１端部１３０Ａａに接続されており、他端が第２下側分割部分１３０Ｂの第２端部１３０Ｂｂに接続されている。必要に応じて、第１上側分割部分１３０Ｃは、第１下側分割部分１３０Ａの第１端部１３０Ａａ及び／又は第２下側分割部分１３０Ｂの第２端部１３０Ｂｂとの間にギャップが設けられていてもよい。このようなギャップのギャップ間の距離等を調整することにより、入力側導電線１１Ａと出力側導電線１１Ｂの間に生じる相互インダクタンスを調整することができる。
【００４３】
第２上側分割部分１３０Ｄは、第１導電線１１の分岐部１１ｃの上方で第１導電線１１を横断して第１下側分割部分１３０Ａの第２端部１３０Ａｂと第２下側分割部分１３０Ｂの第１端部１３０Ｂａの間を延びている。第２上側分割部分１３０Ｄは、一端が第１下側分割部分１３０Ａの第２端部１３０Ａｂに接続されており、他端が第２下側分割部分１３０Ｂの第１端部１３０Ｂａに接続されている。必要に応じて、第２上側分割部分１３０Ｄは、第１下側分割部分１３０Ａの第２端部１３０Ａｂ及び／又は第２下側分割部分１３０Ｂの第１端部１３０Ｂａとの間にギャップが設けられていてもよい。このようなギャップのギャップ間の距離等を調整することにより、入力側導電線１１Ａと出力側導電線１１Ｂの間に生じる相互インダクタンスを調整することができる。
【００４４】
第１下側分割部分１３０Ａと第２下側分割部分１３０Ｂは、第１導電線１１の短手方向に沿って平行となるように配設されている。第１上側分割部分１３０Ｃと第２上側分割部分１３０Ｄは、分岐部１１ｃの上方でねじれの位置となるように配設されている。このような第１磁性体１３０が配設されていると、入力側から出力側に流れる電流を正としたとき、入力側導電線１１Ａから生じる磁束と出力側導電線１１Ｂから生じる磁束が互いに強め合うため、入力側導電線１１Ａと出力側導電線１１Ｂの間に生じる相互インダクタンスの符号が正となるように磁気結合することができる。
【００４５】
ノイズフィルタ１００も同様に、第１導電線１１の周囲に第１磁性体１３０を配設することにより、入力側導電線１１Ａと出力側導電線１１Ｂを磁気結合させ、これらの間に生じる相互インダクタンスを利用してコンデンサ２０の等価直列インダクタンスと第２導電線１２の寄生インダクタンスを減ずることができる。
【００４６】
図５に、図４Ａ及び図４Ｂに示すノイズフィルタ１００の変形例を示す。このノイズフィルタ１００は、第１導電線１１の分岐部１１ｃとグランド板１３の間の第２導電線１２の一部の周囲を取り囲むように配設された第２磁性体１４０を備えていることを特徴としている。第２磁性体１４０は、Ｍｎ−Ｚｎ、Ｎｉ−Ｚｎ等の材料を焼結したフェライト等を成形したリング状のフェライトコアである。この例では、第２磁性体１４０は、第２導電線１２の一部の周方向の全周を取り囲むように配設されているが、周方向の一部を取り囲むように配設されていてもよい。また、第２磁性体１４０には、この例に限らず、様々な形態を採用し得る。例えば、第２磁性体１４０は、第２導電線１２に対してらせん状に巻回する磁性シートであってもよい。
【００４７】
ここで、上記数式１及び上記数式２を用いて説明したように、ノイズフィルタ１００の基本的な特徴は、第１磁性体１３０によって入力側導電線１１Ａと出力側導電線１１Ｂの間に生じる相互インダクタンス（Ｍ）を利用してコンデンサ２０の等価直列インダクタンスと第２導電線１２の寄生インダクタンスを減ずることにより、フィルタ性能を改善することである。このとき、入力側導電線１１Ａのインダクタンス（Ｌ１＋Ｍ）と出力側導電線１１Ｂのインダクタンス（Ｌ２＋Ｍ）の各々には相互インダクタンス（Ｍ）が加算されている。このため、これらの導電線１１Ａ，１１Ｂのインダクタンス（Ｌ１＋Ｍ，Ｌ２＋Ｍ）の増加によって上記数式１の分母が大きくなっており、厳密には、これらのインダクタンスの増加によるフィルタ性能の改善という副次的な効果も存在している。
【００４８】
図５の変形例のノイズフィルタ１００では、第２磁性体１４０が設けられていることにより、第２導電線１２のインダクタンスが増加している。この第２導電線１２のインダクタンスの増加分を相殺するために、第１磁性体１３０によって入力側導電線１１Ａと出力側導電線１１Ｂの間に生じる相互インダクタンスを大きくすることができる。例えば、第1磁性体１３０の磁性体材料及び形態等に基づいて相互インダクタンスを大きくすることができる。このように、ノイズフィルタ１００では、第２磁性体１４０が設けられていることにより、入力側導電線１１Ａのインダクタンス（Ｌ１＋Ｍ）と出力側導電線１１Ｂのインダクタンス（Ｌ２＋Ｍ）の各々をさらに増加させることができるので、上記数式１の分母がさらに大きくなり、フィルタ性能をさらに改善することができる。
【００４９】
また、図５の変形例のノイズフィルタ１００は、以下で説明する追加特徴を有している。図５の変形例のノイズフィルタ１００の追加特徴を理解するために、上記数式１〜数式３について、さらに考察する。
【００５０】
上記数式１及び数式２の導出では、導体損失に比して分岐配線のインダクタンスのインピーダンス及びコンデンサのインピーダンスが大きいため、これらインピーダンスの虚部のみを考慮した。しかしながら、周波数が高いとき及び／又は共振したときには、導体損失及び後述の磁性体の損失成分の影響が大きくなるので、導体損失及び後述の磁性体の損失成分も考慮するのが望ましい。したがって、これらインピーダンスの実部も考慮すると、上記数式２は、以下のように書き直すことができる。
【００５１】
【数４】
2020017944.tif 000006
【００５２】
ここで、Ｒは、分岐配線の導体損失とコンデンサの損失の合計の損失成分である。また、磁性体の損失成分、すなわち、透磁率の複素成分を考慮すると、上記数式３は、以下のように書き直すことができる。
【００５３】
【数５】
2020017944.tif 000007
【００５４】
μ0：真空の透磁率
μr1：第１磁性体の比透磁率の実部
μr2：第１磁性体の比透磁率の虚部
Ｓ：第１磁性体の磁路の断面積
ｌ：第１磁性体の平均磁路長
【００５５】
上記数式５を上記数式４に導入すると、以下の数式が導かれる。
【００５６】
【数６】
2020017944.tif 000008
【００５７】
上記数式６の実部の負の項には角周波数ωが含まれていることから、上記数式６の実部は周波数特性を有している。このため、上記数式６の実部は、フィルタ性能に影響を及ぼしていることが分かる。すなわち、厳密に考察すると、導体損失及び磁性体の損失成分がフィルタ性能に影響を及ぼしていることが分かる。
【００５８】
したがって、フィルタ性能を改善するためには、上記数式６の実部が小さくなるように損失成分Ｒを調整するのが望ましい。例えば、分岐配線の配線パターンによって損失成分Ｒを調整することにより上記数式６の実部を小さくしてもよく、コンデンサに対して直列となるように抵抗器（例えば、チップ抵抗）を分岐配線に接続して損失成分Ｒを調整することにより上記数式６の実部を小さくしてもよい。このように損失成分Ｒを調整する技術は、上記数式６の実部が小さくすることができ、フィルタ性能を向上させ得るという点で有用な技術である。ところが、上記数式６からも明らかに、損失成分Ｒが周波数特性を有していない場合、特定の周波数のみで上記数式６の実部が小さくなり、フィルタ性能の向上は限定的である。
【００５９】
図５の変形例のノイズフィルタ１００では、第２導電線１２に対して第２磁性体１４０が設けられている。このため、図５の変形例のノイズフィルタ１００では、損失成分Ｒに第２磁性体１４０の損失成分が加算されるので、損失成分Ｒが周波数特性を有することができる。さらに、第２磁性体１４０は、第１磁性体１３０と同一の磁性体材料、すなわち、第１磁性体１３０と同一の透磁率を有している。このため、図５の変形例のノイズフィルタ１００では、上記数式６の実部の正の項と負の項の損失成分の各々が周波数に比例して増加するので、それら損失成分が周波数の変動に依存することなく相殺される。このため、図５の変形例のノイズフィルタ１００は、高いフィルタ性能を有することができる。
【００６０】
このように、第２導電線１２に第２磁性体１４０を設ける技術は、入力側導電線１１Ａのインダクタンス（Ｌ１＋Ｍ）と出力側導電線１１Ｂのインダクタンス（Ｌ２＋Ｍ）の各々を増加させることによるフィルタ性能の改善に加え、より厳密な設計に基づくフィルタ性能の改善にも寄与することができる。なお、第２導電線１２に第２磁性体１４０を設ける技術は、本明細書に開示する他の実施形態のノイズフィルタにも同様に適用可能である。
【００６１】
図６Ａにノイズフィルタ２００の斜視図、図６Ｂにその分解斜視図を示す。ノイズフィルタ２００では、入力側導電線１１Ａと出力側導電線１１Ｂが、所定距離を隔てて対向するとともに平行となるように延びている。
【００６２】
第１磁性体２３０は、磁性シートで構成されており、入力側導電線１１Ａの一部の周囲を被覆するように配設されている第１磁性体部分２３１と、出力側導電線１１Ｂの一部の周囲を被覆するように配設されている第２磁性体部分２３２と、第１磁性体部分２３１と第２磁性体部分２３２の間を延びている一対の第３磁性体部分２３３と、を有している。第１磁性体２３０は、入力側導電線１１Ａの一部と出力側導電線１１Ｂの一部の各々の外側を通って一巡するように配設されている。一対の第３磁性体部分２３３は、ねじれの位置となるように延びている。このような第１磁性体２３０が配設されていると、入力側から出力側に流れる電流を正としたとき、入力側導電線１１Ａから生じる磁束と出力側導電線１１Ｂから生じる磁束が互いに強め合うため、入力側導電線１１Ａと出力側導電線１１Ｂの間に生じる相互インダクタンスの符号が正となるように磁気結合することができる。
【００６３】
ノイズフィルタ２００も同様に、第１導電線１１の周囲に第１磁性体２３０を配設することにより、入力側導電線１１Ａと出力側導電線１１Ｂを磁気結合させ、これらの間に生じる相互インダクタンスを利用してコンデンサ２０の等価直列インダクタンスと第２導電線１２の寄生インダクタンスを減ずることができる。
【００６４】
図７Ａにノイズフィルタ３００の斜視図、図７Ｂにその分解斜視図を示す。ノイズフィルタ３００では、第１磁性体３３０が、第１分割部分３３０Ａと第２分割部分３３０Ｂを組み合わせて構成されている。第１分割部分３３０Ａと第２分割部分３３０Ｂが組み合さることにより、第１磁性体３３０の第１磁性体部分３３１、第２磁性体部分３３２及び第３磁性体部分３３３が構成される。
【００６５】
第１分割部分３３０Ａと第２分割部分３３０Ｂの各々は、Ｍｎ−Ｚｎ、Ｎｉ−Ｚｎ等の材料を焼結したフェライト等を成形した磁性プレートであり、コの字状の形態を有している。第１分割部分３３０Ａと第２分割部分３３０Ｂは、共通形態である。入力側導電線１１Ａと出力側導電線１１Ｂの各々は、長手方向に対して直交する上下方向（バスバーの表面に対して直交する方向でもある）に屈曲して往復する形態を有しており、その往復部分で囲まれる空間に対して第１分割部分３３０Ａと第２分割部分３３０Ｂが挿入して配設されている。第１分割部分３３０Ａの一方の端部と第２分割部分３３０Ｂの一方の端部の間にギャップが設けられており、第１分割部分３３０Ａの他方の端部と第２分割部分３３０Ｂの他方の端部の間にもギャップが設けられている。これらギャップのギャップ間の距離等を調整することにより、入力側導電線１１Ａと出力側導電線１１Ｂの間に生じる相互インダクタンスを調整することができる。なお、第１磁性体部分３３１と第２磁性体部分３３２の各々に対応してギャップが設けられているが、この例に代えて、第３磁性体部分３３３にギャップが設けられていてもよい。また、ギャップに代えて、磁性体部分の一部の幅が狭くなるように構成されていてもよい。
【００６６】
入力側導電線１１Ａのうちの第１磁性体部分３３１によって取り囲まれている部分１１１Ａは、入力側導電線１１Ａの長手方向に対して直交する上下方向に延びている。出力側導電線１１Ｂのうちの第２磁性体部分３３２によって取り囲まれている部分１１１Ｂも、出力側導電線１１Ｂの長手方向に対して直交する上下方向に延びている。このような第１磁性体３３０が配設されていると、入力側から出力側に流れる電流を正としたとき、入力側導電線１１Ａから生じる磁束と出力側導電線１１Ｂから生じる磁束が互いに強め合うため、入力側導電線１１Ａと出力側導電線１１Ｂの間に生じる相互インダクタンスの符号が正となるように磁気結合することができる。
【００６７】
ノイズフィルタ３００も同様に、第１導電線１１の周囲に第１磁性体３３０を配設することにより、入力側導電線１１Ａと出力側導電線１１Ｂを磁気結合させ、これらの間に生じる相互インダクタンスを利用してコンデンサ２０の等価直列インダクタンスと第２導電線１２の寄生インダクタンスを減ずることができる。
【実施例１】
【００６８】
図８Ａ〜図８Ｃ及び図９Ａ〜図９Ｃを参照し、本明細書が開示する技術が適用されたノイズフィルタのフィルタ性能を検討した結果を示す。
【００６９】
図８Ａは、本明細書が開示する技術が適用されたノイズフィルタ４００である。第１磁性体４３０は、磁性シートで構成されており、第１導電線１１の周囲をらせん状に配設されている。この例では、第１磁性体４３０は、入力端部１１ａから出力端部１１ｂに向かう方向において、入力側導電線１１Ａの一部から分岐部１１ｃを通って出力側導電線１１Ｂの一部にまで時計周りに配設されている。このノイズフィルタ４００では、第１磁性体４３０によって入力側導電線１１Ａと出力側導電線１１Ｂが磁気結合しており、これらの間に生じる相互インダクタンスによってコンデンサ２０の等価直列インダクタンスと第２導電線１２の寄生インダクタンスが減じられている。
【００７０】
図９Ａは、図８Ａのノイズフィルタ４００の等価回路図である。ノイズ源の内部インピーダンスが１Ωであり、負荷回路のインピーダンスが１Ωであり、コンデンサの静電容量が１００μＦである。入力側導電線１１Ａのインダクタンスが７１．２ｎＨであり、出力側導電線１１Ｂのインダクタンスが９４．４ｎＨであり、コンデンサ２０の等価直列インダクタンスと第２導電線１２の寄生インダクタンスの和が０．００３ｎＨである。このように、ノイズフィルタ４００では、入力側導電線１１Ａと出力側導電線１１Ｂの間に生じる相互インダクタンスによってコンデンサ２０の等価直列インダクタンスと第２導電線１２の寄生インダクタンスが減じられることにより、コンデンサ２０の等価直列インダクタンスと第２導電線１２の寄生インダクタンスの和が極めて小さい値を示している。また、後述の図８Ｂの例と比較すると、入力側導電線１１Ａのインダクタンスと出力側導電線１１Ｂのインダクタンスの各々が、第１磁性体４３０の配設による自己インダクタンスの増加のみならず、相互インダクタンスによっても増加している。
【００７１】
図８Ｂは、比較例のノイズフィルタ５００である。このノイズフィルタ５００では、第１導電線１１の周囲に何ら磁性体が配設されていない。
【００７２】
図９Ｂは、図８Ｂのノイズフィルタ５００の等価回路図である。このノイズフィルタ５００では、磁性体が何ら配設されていないことから、入力側導電線１１Ａと出力側導電線１１Ｂの各々は、その電線の寄生のインダクタンスのみであり、磁性体を配設したときと比べて小さい値を示している。また、入力側導電線１１Ａと出力側導電線１１Ｂの磁気結合は、導電線の寄生インダクタンスに影響しないほど小さい。これにより、コンデンサ２０の等価直列インダクタンスと第２導電線１２の寄生インダクタンスの和も高い値を維持している。
【００７３】
図８Ｃは、比較例のノイズフィルタ６００である。このノイズフィルタ６００では、入力側導電線１１Ａにリング状のフェライトコアである入力側磁性体６３１が設けられており、出力側導電線１１Ｂにもリング状のフェライトコアである出力側磁性体６３２が設けられている。
【００７４】
図９Ｃは、図８Ｃのノイズフィルタ６００の等価回路図である。このノイズフィルタ６００では、入力側磁性体６３１と出力側磁性体６３２が配設されていることから、入力側導電線１１Ａのインダクタンスと出力側導電線１１Ｂのインダクタンスが大幅に増加している。一方、入力側磁性体６３１と出力側磁性体６３２が離れて配置されており、入力側導電線１１Ａと出力側導電線１１Ｂが磁気結合していない。これにより、コンデンサ２０の等価直列インダクタンスと第２導電線１２の寄生インダクタンスの和は、高い値を維持している。
【００７５】
図１０は、図８Ａ〜図８Ｃのノイズフィルタ４００，５００，６００の各々のフィルタ性能の結果を示す。なお、フィルタ性能は、２０×ｌｏｇ１０（Ｖ２／Ｖ１）（ｄＢ）によって計算した。
【００７６】
図１０に示されるように、磁性体が何ら配設されていない比較例のノイズフィルタ５００（図８Ｂ）では、高周波帯域の電磁ノイズに対するフィルタ性能が劣化している。一方、本実施形態のノイズフィルタ４００（図８Ａ）では、高周波帯域の電磁ノイズに対するフィルタ性能が大幅に向上している。なお、リング状のフェライトコアである磁性体６３１，６３２が設けられている比較例のノイズフィルタ６００（図８Ｃ）では、入力側導電線１１Ａのインダクタンスと出力側導電線１１Ｂのインダクタンスが増加することから、高周波帯域の電磁ノイズに対するフィルタ性能が改善されているものの、本実施形態のノイズフィルタ４００のフィルタ性能よりも悪い。このように、ノイズフィルタのフィルタ性能を向上させるには、本実施形態のノイズフィルタ４００（図８Ａ）のように、少なくともコンデンサ２０の等価直列インダクタンスと第２導電線１２の寄生インダクタンスを減じることが肝要であることが確認された。
【００７７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７８】
１０：ノイズフィルタ
１１：第１導電線
１１Ａ：入力側導電線
１１Ｂ：出力側導電線
１１ａ：入力端部
１１ｂ：出力端部
１１ｃ：分岐部
１２：第２導電線
１３：グランド板
２０：コンデンサ     
３０：第１磁性体
３１：第１磁性体部分
３２：第２磁性体部分
３３：第３性体部分
【図１】
2020017944.tif 000009
【図２】
2020017944.tif 000010
【図３Ａ】
2020017944.tif 000011
【図３Ｂ】
2020017944.tif 000012
【図４Ａ】
2020017944.tif 000013
【図４Ｂ】
2020017944.tif 000014
【図５】
2020017944.tif 000015
【図６Ａ】
2020017944.tif 000016
【図６Ｂ】
2020017944.tif 000017
【図７Ａ】
2020017944.tif 000018
【図７Ｂ】
2020017944.tif 000019
【図８Ａ】
2020017944.tif 000020
【図８Ｂ】
2020017944.tif 000021
【図８Ｃ】
2020017944.tif 000022
【図９Ａ】
2020017944.tif 000023
【図９Ｂ】
2020017944.tif 000024
【図９Ｃ】
2020017944.tif 000025
【図１０】
2020017944.tif 000026